(57)【要約】【課題】乾燥行程にて、衣類の水分を奪って湿気を含んだ温風を冷却水により熱交換して除湿する機能を有する洗濯乾燥機において、簡単な構成で、冷却水と温風とが接触する割合を多くして、除湿性能を高める。【解決手段】外枠１内に支持した外槽３内に、回転中心軸を略鉛直方向に有する内槽４を回転自在に配設し、循環ファン１０により温風循環経路１２を通して温風を循環させて内槽４内に温風を供給する。温風循環経路１２の中途にヒータ１１および熱交換器２４を設け、冷却水ホース２２より熱交換器２４内に冷却水を供給し、循環ファン１０、ヒータ１１などの動作を制御装置により制御する。熱交換器２４は、内壁に櫛形のリブ２６を設け、冷却水ホース２２から入った冷却水が壁面に均等に流れるようにする。【選択図】  図１
2004313231.tif 000002
【特許請求の範囲】
【請求項１】
外枠内に支持した外槽と、回転中心軸を略鉛直方向に有し前記外槽内に回転自在に配設した内槽と、温風循環経路を通して温風を循環させ前記内槽内に温風を供給する循環ファンと、前記温風循環経路の中途に設けたヒータおよび熱交換器と、前記熱交換器内に冷却水を供給する給水経路と、前記循環ファン、ヒータなどの動作を制御する制御手段とを備え、前記熱交換器は、内壁に櫛形のリブを設け、前記給水経路から入った冷却水が壁面に均等に流れるようにした洗濯乾燥機。
【請求項２】
櫛形のリブは、給水経路の接続部を起点として水の流れの方向に徐々に下向きに設けた請求項１記載の洗濯乾燥機。
【請求項３】
櫛形のリブは、壁面からの高さが上部から下部に行くに従って徐々に低くなる構成とした請求項１または２記載の洗濯乾燥機。
【請求項４】
櫛形のリブは、壁面からの高さを上方は高く下方を低くした請求項１〜３のいずれか１項に記載の洗濯乾燥機。
【請求項５】
給水経路に接続された熱交換器の水の導入部は、冷却水が熱交換器の左右の壁面に流れるように冷却水の流路を分岐した請求項１〜４のいずれか１項に記載の洗濯乾燥機。
【発明の詳細な説明】
【０００１】
【発明の属する技術分野】
本発明は、乾燥行程にて、衣類の水分を奪って湿気を含んだ温風を冷却水により熱交換して除湿する機能を有する洗濯乾燥機に関するものである。
【０００２】
【従来の技術】
従来、この種の洗濯乾燥機は図７に示すように構成していた。以下、その構成について説明する。
【０００３】
図７に示すように、外枠１は、内部に複数のサスペンション２によって弾性的に吊り下げた外槽３を設け、脱水時の振動をサスペンション２によって吸収する構成としている。外槽３の内部には、回転中心軸を鉛直方向に有し洗濯物および乾燥対象物を収容する内槽４を洗濯・脱水軸５を中心に回転可能に配設し、内槽４の内底部に衣類（洗濯物や乾燥対象物）を撹拌する回転翼６を回転自在に配設している。
【０００４】
モータ７は、外槽３の底部に取り付け、洗濯または脱水時に回転力の伝達を洗濯・脱水軸５を介して回転翼６または内槽４に連結している。
【０００５】
熱交換器８は、循環する湿った温風を除湿するもので、一端を伸縮自在の下部蛇腹状ホース９を介して外槽３の下部に接続し、他端を循環ファン１０の一端に接続している。循環ファン１０の他端は、加熱手段であるヒータ１１を有する温風供給路１２ａに接続し、上部蛇腹状ホース１３を通って内槽４へ繋がり、循環する温風循環経路１２を構成している。また、熱交換器８には冷却水給水口１４を設け、乾燥中に冷却水を熱交換器８内へ注水する。
【０００６】
外槽３には、外槽３の上面を気密的に覆う外槽カバー１５を設けており、この外槽カバー１５に内蓋１６を開閉自在に設け、衣類を出し入れするようにしている。外枠１の上部に外枠カバー１７を設け、この外枠カバー１７に外蓋１８を開閉自在に有し、また、内槽４に給水する給水弁１９を設けている。外槽３の底部に外槽３内の水を排水する排水弁１９を設けている。
【０００７】
制御装置（制御手段）２１は、マイクロコンピュータを具備し、モータ７、循環ファン１０、ヒータ１１、給水弁１８、排水弁１９などの動作を制御し、洗い、すすぎ、脱水、乾燥の一連の行程を逐次制御するように構成している。
【０００８】
冷却水給水口１４には、図８に示すように、冷却水ホース２２を接続している。冷却水ホース２２の他端は給水弁１９に接続しており、乾燥行程で冷却水２３を熱交換器８内に給水し、この冷却水２３により熱交換器８内を矢印ａ方向に循環する温風を冷却するよう構成している（例えば、特許文献１参照）。
【０００９】
上記構成において動作を説明する。洗い行程では、外蓋１８と内蓋１６を開けて、内槽４に衣類（洗濯物）を投入し運転を開始すると、給水弁１９を開いて所定の水位まで給水した後、モータ７を駆動する。このとき、モータ７の動力を洗濯・脱水軸５を介して回転翼６に伝達し、回転翼６が回転することで衣類を撹拌し、洗濯物どうしまたは内槽４の内壁や回転翼６との接触により作用する機械力と水流力により洗濯が行われる。
【００１０】
脱水行程では、洗濯終了後、排水弁２０を開いて内槽４内の水を排水した後、モータ７の動力を洗濯・脱水軸５を介して内槽４に伝達して回転させ、衣類に遠心力を与えることにより、水分を衣類から分離することで行う。
【００１１】
乾燥行程では、モータ７を駆動して回転翼６に伝達し、回転翼６を正転、反転させて衣類を撹拌しながら、循環ファン１０とヒータ１１に通電して温風を内槽４内に送る。内槽４に吹き込まれた温風は、衣類から水分を蒸発させた後、内槽４から外槽３の内側へ出た後、下部蛇腹状ホース９を通過して、熱交換器８へ至る。
【００１２】
衣類の水分を奪って湿気を含んだ温風が矢印ａ方向に熱交換器８内を通過しているとき、熱交換器８に設けた冷却水給水口１４から水を矢印ｂ方向に注水すると、温風は冷やされて熱交換器８内で凝結して水となる。この凝結した水と給水した冷却水とは排水弁２０を通って機外に排水される。こうして内槽４内で衣類から水分を蒸発させ、熱交換器８内でその水分を凝結させて機外に排水するという除湿を、温風を循環させて繰り返し行うことにより内槽４内の衣類を乾燥することができる。
【００１３】
【特許文献１】
特開２００３−６２３８０号公報
【００１４】
【発明が解決しようとする課題】
このような従来の構成では、図８（ａ）に示すように、冷却水２３が熱交換器８に中程度に給水されると、冷却水２３と温風との接触する割合が多くなる。しかし、この場合、冷却水は自重により比較的速い速度で熱交換器８の下部へ落ち込んでしまい、除湿効率が減少するという欠点がある。
【００１５】
図８（ｂ）に示すように、冷却水２３の勢いが弱いと、冷却水２３は熱交換器８の右側の側壁に沿って流れ落ちるため、冷却水２３と温風との接触はわずかしかなく、除湿効率は著しく減少する。
【００１６】
図８（ｃ）に示すように、冷却水２３の勢いが強いと、冷却水２３は熱交換器８の向かって左側の側壁に沿って流れ落ちるため、冷却水２３と温風との接触はわずかしかなく、除湿効率は著しく減少する。
【００１７】
このように、従来の構成では、冷却水と温風とが十分に接触せず、温風は冷却水により十分に冷やされることができないため、温風中の湿気を十分に凝固することができない。すなわち、除湿性能が悪いという問題があった。
【００１８】
本発明は上記課題を解決するもので、簡単な構成で、冷却水と温風とが接触する割合を多くして、除湿性能を高めることを目的としている。
【００１９】
【課題を解決するための手段】
本発明は上記目的を達成するために、外枠内に支持した外槽内に、回転中心軸を略鉛直方向に有する内槽を回転自在に配設し、循環ファンにより温風循環経路を通して温風を循環させて内槽内に温風を供給し、温風循環経路の中途にヒータおよび熱交換器を設け、給水経路より熱交換器内に冷却水を供給し、循環ファン、ヒータなどの動作を制御手段により制御するよう構成し、熱交換器は、内壁に櫛形のリブを設け、給水経路から入った冷却水が壁面に均等に流れるようにしたものである。
【００２０】
これにより、簡単な構成で、冷却水と温風とが接触する割合を多くできて、除湿性能を高めることができる。
【００２１】
【発明の実施の形態】
本発明の請求項１に記載の発明は、外枠内に支持した外槽と、回転中心軸を略鉛直方向に有し前記外槽内に回転自在に配設した内槽と、温風循環経路を通して温風を循環させ前記内槽内に温風を供給する循環ファンと、前記温風循環経路の中途に設けたヒータおよび熱交換器と、前記熱交換器内に冷却水を供給する給水経路と、前記循環ファン、ヒータなどの動作を制御する制御手段とを備え、前記熱交換器は、内壁に櫛形のリブを設け、前記給水経路から入った冷却水が壁面に均等に流れるようにしたものであり、簡単な構成で、冷却水と温風とが接触する割合を多くできて、除湿性能を高めることができる。
【００２２】
請求項２に記載の発明は、上記請求項１に記載の発明において、櫛形のリブは、給水経路の接続部を起点として水の流れの方向に徐々に下向きに設けたものであり、櫛形のリブに均一に冷却水が流れるようにでき、冷却水と温風とが接触する割合を多くできて、除湿性能を高めることができる。
【００２３】
請求項３に記載の発明は、上記請求項１または２に記載の発明において、櫛形のリブは、壁面からの高さが上部から下部に行くに従って徐々に低くなる構成としたものであり、櫛形のリブに均一に冷却水が流れるようにでき、冷却水と温風とが接触する割合を多くできて、除湿性能を高めることができる。
【００２４】
請求項４に記載の発明は、上記請求項１〜３に記載の発明において、櫛形のリブは、壁面からの高さを上方は高く下方を低くしたものであり、温風に混じって飛翔する衣類から出たリントが櫛形のリブに引っかからないようにでき、常に均一に冷却水が流れるようにでき、冷却水と温風とが接触する割合を多くできて、除湿性能を高めることができる。
【００２５】
請求項５に記載の発明は、上記請求項１〜４に記載の発明において、給水経路に接続された熱交換器の水の導入部は、冷却水が熱交換器の左右の壁面に流れるように冷却水の流路を分岐したものであり、熱交換器の両方の壁面を冷却水が流れ落ちることにより、冷却水と温風との接触をより増やすことができ、除湿性能を高めることができる。
【００２６】
【実施例】
以下、本発明の実施例について、図面を参照しながら説明する。なお、従来例と同じ構成のものは同一符号を付して説明を省略する。
【００２７】
（実施例１）
図１および図２に示すように、熱交換器２４は、冷却水給水口２５を設けており、この冷却水給水口２５に給水経路を構成する冷却水ホース２２を接続している。冷却水ホース２２の他端は、給水弁１９に接続している。熱交換器２４の内壁には、冷却水給水口２５近辺を起点として櫛形のリブ２６を設けている。櫛形のリブ２６は、図３に示すように、横方向に伸びる横リブ２６ａと縦方向に設けた縦リブ２６ｂとで構成している。
【００２８】
ここで、図３（ｂ）に示すように、横リブ２６ａの起点である冷却水給水口２５付近（図３（ｂ）の右方）を垂直方向の高さで最も高い位置にし、水の流れの方向である先端に行くほどに徐々に下向きとしている。
【００２９】
また、図３（ａ）に示すように、横リブ２６ａおよび縦リブ２６ｂを起点である冷却水給水口２５付近（図３（ｂ）の右方）を壁面からのリブ高さを最も高くして、水の流れの方向である先端に行くほどに徐々に壁面からのリブ高さを低くしている。
【００３０】
また、図４に示すように、横リブ２６ａ、縦リブ２６ｂのいずれも壁面からの高さを上方を高くし、下方を低くしている。
【００３１】
上記構成において動作を説明する。なお、洗い行程から乾燥行程までの基本的な動作は従来例と同じであるので説明を省略する。
【００３２】
乾燥行程で衣類の水分を奪って湿気を含んだ温風が矢印ａ方向に熱交換器２４内を通過しているとき、冷却水給水口２５から冷却水を矢印ｂ方向に注水すると、冷却水２３は、冷却水給水口２５から熱交換器２４に入り、櫛形のリブ２６の横リブ２６ａを伝って行き、縦リブ２６ｂから熱交換器２４の内壁に沿って下方に流れ落ちる。このとき、複数の縦リブ２６ｂから均等に冷却水２３が流れ落ちることで、冷却水２３と温風との接触が増え、温風の冷却がよくなり、結果として除湿性能を向上することができる。除湿性能が向上すると、衣類の水分を短い時間で機外に排出することができるので乾燥時間を短縮することができる。
【００３３】
ここで、横リブ２６ａの起点である冷却水給水口２５付近を垂直方向の高さで最も高い位置にして、水の流れの方向である先端に行くほどに徐々に下向きとしたことで、冷却水給水口２５から出た水を櫛形のリブ２６から自然に下方向に流すことができ、特定の縦リブ２６ｂに偏って水が落下するのを防ぎ、より均一に複数の縦リブ２６ｂから水を落下させることができる。
【００３４】
また、横リブ２６ａおよび縦リブ２６ｂを起点である冷却水給水口２５付近を壁面からのリブ高さを最も高くして、水の流れの方向である先端に行くほどに徐々に壁面からのリブ高さを低くしたことで、冷却水２３が櫛形のリブ２６を流れるに従い流量が少なくなるのに応じて自然に流すことができ、特定の縦リブ２６ｂで偏って水が落下するのを防ぎ、より均一に複数の縦リブ２６ｂから水を落下させることができる。
【００３５】
また、横リブ２６ａ、縦リブ２６ｂのいずれも壁面からの高さを上方を高くし下方を低くすることにより、下方から吹き上がってくる温風に混じって飛翔する衣類から出たリントが櫛形のリブ２６に引っかかって堆積するのを防ぐことができる。
【００３６】
リントが熱交換器２４の内壁面に堆積すると、冷却水２３の流れが悪くなるとともに、次第に熱交換器２４の断面積を狭くして温風の通過を阻害するため、乾燥性能が低下するが、櫛形のリブ２６の壁面からの高さを上方を高くし、下方を低くすることにより、乾燥性能の低下を防ぐことができる。
【００３７】
このように本実施例によれば、熱交換器２４の内壁に櫛形のリブ２６を設け、冷却水ホース２２から入った冷却水が壁面に均等に流れるようにしたので、簡単な構成で、冷却水と温風とが接触する割合を多くできて、除湿性能を高めることができ、乾燥時間を短縮することができる。
【００３８】
また、櫛形のリブ２６は、冷却水ホース２２の接続部を起点として水の流れの方向に徐々に下向きに設けたので、櫛形のリブ２６に均一に冷却水が流れるようにでき、冷却水と温風とが接触する割合を多くできて、除湿性能を高めることができる。
【００３９】
また、櫛形のリブ２６は、壁面からの高さが上部から下部に行くに従って徐々に低くなる構成としたので、櫛形のリブ２６に均一に冷却水が流れるようにでき、冷却水と温風とが接触する割合を多くできて、除湿性能を高めることができる。
【００４０】
また、櫛形のリブ２６は、壁面からの高さを上方は高く下方を低くしたので、温風に混じって飛翔する衣類から出たリントが櫛形のリブ２６に引っかからないようにでき、常に均一に冷却水が流れるようにでき、冷却水と温風とが接触する割合を多くできて、除湿性能を高めることができる。
【００４１】
（実施例２）
図５に示すように、熱交換器２７は、冷却水給水口２８を設け、この冷却水給水口２８に冷却水ホース２２を接続している。冷却水ホース２２の他端は、上記実施冷１と同様に、給水弁１９に接続している。熱交換器２７の内壁には冷却水給水口２８の近辺を起点として櫛形のリブ２９を設けている。櫛形のリブ２９は、横方向に伸びる横リブ２９ａと縦方向に設けた縦リブ２９ｂとで構成している。
【００４２】
熱交換器２７の水の導入部に分岐壁３０を設け、冷却水が熱交換器２７の左右の壁面に流れるように冷却水の流路を分岐している。他の構成は上記実施例１と同じである。
【００４３】
上記構成において動作を説明する。なお、洗い行程から乾燥行程までの基本的な動作は従来例と同じであるので説明を省略する。
【００４４】
乾燥行程で衣類の水分を奪って湿気を含んだ温風が矢印ａ方向に熱交換器２７内を通過しているとき、冷却水給水口２８から冷却水を矢印ｂ方向に注水すると、冷却水２３は、冷却水給水口２８から熱交換器２７に入り、そこで分岐壁３０により熱交換器２７の左右の壁面に分岐され、櫛形のリブ２９の横リブ２９ａを伝って行き、縦リブ２９ｂから熱交換器２７の内壁に沿って下方に流れ落ちる。
【００４５】
これにより、熱交換器２７の左右両方の壁面に冷却水２３を流すことができて、冷却水２３と温風との接触をより多くすることができ、温風の冷却効率を上げ除湿性能を向上させることができる。
【００４６】
このように本実施例によれば、冷却水ホース２２を接続した熱交換器２７の水の導入部に分岐壁３０を設け、冷却水が熱交換器２７の左右の壁面に流れるように冷却水の流路を分岐したので、熱交換器２７の両方の壁面を冷却水が流れ落ちることにより、冷却水と温風との接触をより増やすことができ、除湿性能を高めることができる。
【００４７】
（実施例３）
図６に示すように、熱交換器３１は、冷却水給水口３２を左右２つ設け、それぞれの冷却水投入口３２を起点として、櫛形のリブ３３を２つ設けている。冷却水給水口３２には分水器３４を接続し、この分水器３４に冷却水ホース２２を接続されている。他の構成は上記実施例１と同じである。
【００４８】
上記構成において動作を説明する。なお、洗い行程から乾燥行程までの基本的な動作は従来例と同じであるので説明を省略する。
【００４９】
乾燥行程で衣類の水分を奪って湿気を含んだ温風が矢印ａ方向に熱交換器３１内を通過しているとき、この分水器３４に冷却水を矢印ｂ方向に注水すると、冷却水２３は、分水器３４によって２分されて熱交換器３１の左右の櫛形のリブ３３に導かれ、横リブ３３ａと縦リブ３３ｂとを通って熱交換器３１の壁面を流れて温風と接触する。
【００５０】
これにより、熱交換器３１の左右両方の壁面に冷却水２３を流すことができて、冷却水２３と温風との接触をより多くすることができ、温風の冷却効率を上げ除湿性能を向上させることができる。
【００５１】
このように本実施例によれば、冷却水ホース２２から入った冷却水を分水器３４によって２分し、冷却水が熱交換器３１の左右の壁面に流れるようにしたので、熱交換器３１の両方の壁面を冷却水が流れ落ちることにより、冷却水と温風との接触をより増やすことができ、除湿性能を高めることができる。
【００５２】
なお、本実施例では、部品点数は増えるものの、熱交換器３１の構成を簡単にすることができ、しかも左右の壁面を流れる水量を均一にすることが容易にできる。
【００５３】
【発明の効果】
以上のように本発明の請求項１に記載の発明によれば、熱交換器の内壁に櫛形のリブを設け、冷却水ホースから入った冷却水が壁面に均等に流れるようにしたから、簡単な構成で、冷却水と温風とが接触する割合を多くできて、除湿性能を高めることができ、乾燥時間を短縮することができる。さらに、乾燥時間を短縮することで、使用電力や冷却水が少なくすることができる。
【図面の簡単な説明】
【図１】本発明の第１の実施例の洗濯乾燥機の側断面図
【図２】同洗濯乾燥機の断面図
【図３】（ａ）同洗濯乾燥機の熱交換器の拡大横断面図
（ｂ）同洗濯乾燥機の熱交換器の拡大縦断面図
【図４】同洗濯乾燥機の櫛形のリブの拡大断面図
【図５】（ａ）本発明の第２の実施例の洗濯乾燥機の熱交換器の横断面図
（ｂ）同洗濯乾燥機の熱交換器の縦断面図
【図６】（ａ）本発明の第３の実施例の洗濯乾燥機の熱交換器の横断面図
（ｂ）同洗濯乾燥機の熱交換器の縦断面図
【図７】従来の洗濯乾燥機の側断面図
【図８】（ａ）同洗濯乾燥機の熱交換器に中程度に給水した状態の熱交換器の断面図
（ｂ）同洗濯乾燥機の熱交換器に少なく給水した状態の熱交換器の断面図
（ｃ）同洗濯乾燥機の熱交換器に多く給水した状態の熱交換器の断面図
【符号の説明】
１  外枠
３  外槽
４  内槽
１０  循環ファン
１１  ヒータ
１２  温風循環経路
２１  制御装置（制御手段）
２２  冷却水ホース（給水経路）
２４  熱交換器
２６  櫛形のリブ
【図１】
2004313231.tif 000003
【図２】
2004313231.tif 000004
【図３】
2004313231.tif 000005
【図４】
2004313231.tif 000006
【図５】
2004313231.tif 000007
【図６】
2004313231.tif 000008
【図７】
2004313231.tif 000009
【図８】
2004313231.tif 000010